【手続補正書】
【提出日】平成26年5月27日(2014.5.27)
【手続補正１】
【補正対象書類名】特許請求の範囲
【補正対象項目名】全文
【補正方法】変更
【補正の内容】
【特許請求の範囲】
【請求項１】
装置本体と、
前記装置本体の上方に配置され、所定の高さを有する部材であって、上方部に降雨による雨水を収集するための降雨収集手段を有するとともに、前記降雨収集手段により収集した前記雨水を前記装置本体の上面部に向かって流下させる雨水流下用貫通穴とを備えた雨水流下塔と、
前記装置本体内に、水平方向に支持されるとともに回転自在に配置された部材であって、被処理物の挿入と取り出しを可能とした密閉可能な空間部を有する円筒形状又は多角形状をなす回転容器部材と、を備え、
前記回転容器部材は、さらに、外周面上に前記雨水流下用貫通穴を流下する前記雨水を溜める雨水溜まり部を備えており、
前記回転容器部材は、前記雨水流下塔の雨水流下用貫通穴から流下して前記雨水溜まり部に溜まった前記雨水の重力により、所定方向に回転可能とされていることを特徴とする回転式粉末化装置。
【請求項２】
前記降雨収集手段は、前記雨水流下塔の上部に載置された降雨収集塔からなり、
前記降雨収集塔は、その上端面は上方に向かって開口した凹状開口部と、前記凹状開口部の底面部から立設する山形形状をなす山形状突出部と、前記凹状開口部の底面部と前記雨水流下塔の前記雨水流下用貫通穴とを連通する貫通穴を備えていることを特徴とする請求項１に記載の回転式粉末化装置。
【請求項３】
前記雨水流下塔は、正面視で所定の厚さを有する多角形状をなし、
前記降雨収集手段は、前記多角形状をなす前記雨水流下塔の側面上に形成された雨水収集用凹部と、前記雨水収集用凹部を前記雨水流下塔の前記雨水流下用貫通穴と連通する貫通穴とから構成されていることを特徴とする請求項１に記載の回転式粉末化装置。
【請求項４】
装置本体と、
前記装置本体の上面部に載置された台座と、
前記台座の上面部に載置されて所定の高さを有する部材であって、上面部から下面部に向けて貫通した雨水流下用貫通穴を有する雨水流下塔と、
前記雨水流下塔の上面部に載置されて、降雨による雨水を収集するための降雨収集塔と、
前記装置本体内に、水平方向に支持されるとともに回転自在に配置された部材であって、円筒形状又は多角形状をなす回転容器部材と、を備え、
前記回転容器部材は、
その外周面上、前記雨水流下用貫通穴を介して流下する前記雨水を溜める雨水溜まり部材と、
前記回転容器部材の内部に設けられた空間部であって、被処理物の挿入と取り出しを可能とした密閉可能な空間部と、を備え、
前記回転容器部材は、前記雨水溜まり部に溜まった前記雨水の重力を利用して所定方向に回転可能とされていることを特徴とする回転式粉末化装置。
【手続補正２】
【補正対象書類名】明細書
【補正対象項目名】００２０
【補正方法】変更
【補正の内容】
【００２０】
請求項１から請求項４のいずれかに記載の回転式粉末化装置における前記雨水流下用貫通穴は、前記雨水流下塔の内部において垂直方向に形成された貫通穴として形成されることがある。
【手続補正３】
【補正対象書類名】明細書
【補正対象項目名】００２１
【補正方法】変更
【補正の内容】
【００２１】
請求項１から請求項４のいずれかに記載の回転式粉末化装置における前記雨水流下用貫通穴は、前記雨水流下塔の内部において垂直方向に形成された貫通穴として形成されるとともに、前記装置本体上に前記雨水流下塔が配置された状態において、前記雨水流下用貫通穴の前記垂直方向の中心線が前記回転容器部材の前記回転軸心から水平方向に所定の距離離れた位置に配置されることがある。
【手続補正４】
【補正対象書類名】明細書
【補正対象項目名】００２２
【補正方法】変更
【補正の内容】
【００２２】
この場合、前記雨水流下塔は、その上面部に前記降雨収集塔により収集された前記雨水を取り込むための集水用凹部を備え、
前記集水用凹部は、その底部に垂直方向に径ｄ１を有する位置決め用貫通穴を備えるとともに、前記位置決め用貫通穴の下端部は、垂直方向に形成された径ｄ２を有する前記雨水流下用貫通穴に連接され、
前記雨水流下用貫通穴の径ｄ２は、前記位置決め用貫通穴の径ｄ１より大きく形成されることがある。
【手続補正５】
【補正対象書類名】明細書
【補正対象項目名】００２３
【補正方法】変更
【補正の内容】
【００２３】
請求項４に記載の回転式粉末化装置の前記降雨収集塔は、前記降雨収集塔の上端面から上方に向かって開口した凹状開口部と、前記凹状開口部の底面部から立設する山形形状をなす山形状突出部と、前記凹状開口部の底面部と前記雨水流下用貫通穴とを連通する貫通穴を備えることがある。
【手続補正６】
【補正対象書類名】明細書
【補正対象項目名】００２４
【補正方法】変更
【補正の内容】
【００２４】
請求項４に記載の回転式粉末化装置の前記台座は、その上面部に前記雨水流下用貫通穴を介して流下した前記雨水を収集する雨水分配凹部を備えるとともに、前記雨水分配凹部の底部は、前記収集した前記雨水を前記回転容器部材の前記雨水溜まり部に落下させるための雨水供給用貫通穴を備えることがある。
【手続補正７】
【補正対象書類名】明細書
【補正対象項目名】００２５
【補正方法】変更
【補正の内容】
【００２５】
請求項４に記載の回転式粉末化装置の装置本体は、水平方向に支持されるとともに回転自在に配置された複数の前記回転容器部材を備え、
前記台座は、その上面部に前記雨水流下用貫通穴を介して流下した前記雨水を収集する雨水分配凹部を備えるとともに、前記雨水分配凹部の底部は、前記収集した前記雨水を前記複数の前記回転容器部材のそれぞれの前記雨水溜まり部に落下させるために、複数の雨水供給用貫通穴を備えることがある。
【手続補正８】
【補正対象書類名】明細書
【補正対象項目名】００２６
【補正方法】変更
【補正の内容】
【００２６】
請求項４に記載の回転式粉末化装置における前記雨水分配凹部は、その一部が前記台座の上面部であって前記雨水流下塔が載置されていない部分に延設されることがある。
【手続補正９】
【補正対象書類名】明細書
【補正対象項目名】００２７
【補正方法】変更
【補正の内容】
【００２７】
請求項１又は請求項４に記載の回転式粉末化装置における前記密閉可能な空間部の内周面は、所定の幅を有し、前記回転軸心方向に延びる少なくとも一つの凸状突起部を備えることがある。
【手続補正１０】
【補正対象書類名】明細書
【補正対象項目名】００２８
【補正方法】変更
【補正の内容】
【００２８】
請求項１又は請求項４に記載の回転式粉末化装置における前記密閉可能な空間部の内周面は、前記回転軸心方向に延びる微小な凹凸部を備えることがある。
【手続補正１１】
【補正対象書類名】明細書
【補正対象項目名】００２９
【補正方法】変更
【補正の内容】
【００２９】
請求項１又は請求項４に記載の回転式粉末化装置における前記密閉可能な空間部の内周面は、その内周方向に等間隔で、所定の幅を有し、かつ前記回転軸心方向に延びる複数の凸状突起部と、前記凸状突起部の間の前記内周面に設けられた微小な凹凸部を備えることがある。
【手続補正１２】
【補正対象書類名】明細書
【補正対象項目名】００３０
【補正方法】変更
【補正の内容】
【００３０】
請求項１又は請求項４に記載の回転式粉末化装置における前記回転容器部材は、石材から構成されることがある。
【手続補正１３】
【補正対象書類名】明細書
【補正対象項目名】００３１
【補正方法】変更
【補正の内容】
【００３１】
請求項１又は請求項４に記載の回転式粉末化装置における前記回転容器部材は、硬質の合成樹脂材から構成されることがある。
【手続補正１４】
【補正対象書類名】明細書
【補正対象項目名】００３２
【補正方法】変更
【補正の内容】
【００３２】
請求項１又は請求項４に記載の回転式粉末化装置における前記回転容器部材は、硬質の合成樹脂材から構成されるとともに、前記回転容器部材を構成する部材の一部又は全ての部材は、透明又は半透明な合成樹脂材から構成されることがある。